(57)【要約】  折畳みルーフテントを提供する。折畳みルーフテントは底台１、頂部サポートフレーム２、中部サポートフレーム３を有し、中部サポートフレーム３は連接枠３１、中サポート棒３２、頂サポート棒３３を有し、連接枠３１の一端と底台１の前端は枢接され、反対端と頂部サポートフレーム２の後端は枢接され、底台１の後端中部に連接台４が設置され、中サポート棒３２の一端は回転可能なように連接台４上に設置され、各中サポート棒３２の反対端は、連接枠３１と頂部サポートフレーム２が連接する一端両側に対称に対応し、頂サポート棒３３は連接枠３１の両側に対称に設置され、各頂サポート棒３３の一端は連接枠３１上に設置され、反対端は頂部サポートフレーム２に連接され、テントは構造が簡単で、受力が均一で、展開／収納が容易である。【選択図】図３
2019518645.tif 000002
【特許請求の範囲】
【請求項１】
折畳みルーフテントであって、底台、頂部サポートフレーム及び中部サポートフレームを有し、
前記中部サポートフレームは、連接枠、少なくとも２個の中サポート棒及び少なくとも２個の頂サポート棒を有し、
前記連接枠の一端と底台の前端とは、枢接され、反対端と頂部サポートフレームの後端とは、枢接され、前記中サポート棒の一端は回転可能なように、底台の後端中部に設置され、各中サポート棒の反対端は、連接枠と頂部サポートフレームが連接する一端両側に対称に対応し、前記頂サポート棒は、連接枠の両側に対称に設置され、各頂サポート棒の一端は、連接枠上に設置され、反対端は、頂部サポートフレームに連接される
ことを特徴とする、
折畳みルーフテント。
【請求項２】
前記底台の後端中部には、連接台が設置され、前記中サポート棒は回転可能なように、前記連接台上に設置される
ことを特徴とする、
請求項１に記載の折畳みルーフテント。
【請求項３】
前記頂部サポートフレームの両側には、対称の少なくとも２個の連棒を設置し、各頂サポート棒の一端は、連接枠の側面に設置され、反対端は、連棒と連接される
ことを特徴とする、
請求項１又は２に記載の折畳みルーフテント。
【請求項４】
前記底台の底部には、多数のサポート取付棒をさらに設置し、その内の１個のサポート取付棒は、連接台の底部に設置され、他のサポート取付棒は、連接台の両側に対称に設置される
ことを特徴とする、
請求項３に記載の折畳みルーフテント。
【請求項５】
前記頂部サポートフレームは、プラスチック上蓋で、前記連棒は、プラスチック上蓋の内壁に設置され、前記底台は、プラスチック下蓋で、前記サポート取付棒は、プラスチック下蓋の外底面に設置され、前記連接台は、前記プラスチック下蓋内に設置される
ことを特徴とする、
請求項４に記載の折畳みルーフテント。
【請求項６】
前記頂部サポートフレーム及び前記底台はそれぞれ枠フレームで、前記連棒は、頂部サポートフレームの枠フレーム内に設置され、前記サポート取付棒は、底台の枠フレーム内に設置される
ことを特徴とする、
請求項４に記載の折畳みルーフテント。
【請求項７】
前記頂部サポートフレームは、プラスチック上蓋、及びプラスチック上蓋内に対応した枠体を有し、前記底台は、プラスチック下蓋、及びプラスチック下蓋内に対応した枠体を有する
ことを特徴とする、
請求項４に記載の折畳みルーフテント。
【請求項８】
前記頂部サポートフレームの各連棒及び底台の連接台は、Ｌ型連接部材をそれぞれ通して、頂部サポートフレーム及び底台上に固定され、前記連接枠と底台前端は、蝶つがいを通して枢接され、連接枠と頂部サポートフレームの後端も、蝶つがいを通して枢接され、蝶つがいは、Ｌ型連接部材上に固定される
ことを特徴とする、
請求項５〜７のいずれか一項に記載の折畳みルーフテント。
【請求項９】
前記頂部サポートフレームの後端及び中部サポートフレームの前端と底台の間は可動ロックフック対応である
ことを特徴とする、
請求項１に記載の折畳みルーフテント。
【請求項１０】
前記可動ロックフックは、頂部サポートフレームの後端に、対応するロックバーを設置し、対応する底台、又は中部サポートフレームの後端には、ロックバーと対応するロックフックを設置し、
前記頂部サポートフレームの前端、又は中部サポートフレームの前端にも、ロックバーを設置し、対応する底台の前端には、ロックバーと対応するロックフックを設置する
ことを特徴とする、
請求項９に記載の折畳みルーフテント。
【請求項１１】
前記中サポート棒及び前記頂サポート棒はそれぞれ、弾性伸縮棒、電機駆動の伸縮棒、又はエアスプリングの内の任意の一種である
ことを特徴とする、
請求項１に記載の折畳みルーフテント。
【請求項１２】
前記中部サポートフレームの連接枠は、底台の大きさに対応した枠体で、前記連接枠の両側内壁には、前記頂サポート棒を設置する連接ブロックをそれぞれ設置する
ことを特徴とする、
請求項１に記載の折畳みルーフテント。
【発明の詳細な説明】
【技術分野】
【０００１】
本発明はテントの技術領域に関し、特に折畳みルーフテントに関する。
【背景技術】
【０００２】
家庭の自動車保有台数の増加に従い、自家用車でレジャーに出かけるのが新たなトレンドとなっている。
自家用車レジャーの利便性を向上させるため、車に付属した製品の開発が盛んになっている。
車用テントは、このような環境下で生まれたものである。
【０００３】
車用テントは車の屋根上に設置するテントである。
使用時には、他のテントのように地面に接することはないため、地面の湿気が入り込むことがなく、使用においてより快適である。
典型的な車用テントには、２０１０年７月２１日公告の特許文献１、２０１２年４月１１日公告の特許文献２、２０１３年９月２５日公告の特許文献３等がある。
【０００４】
特許文献４「Ｚ型構造のルーフテント」は、底台、頂部枠フレーム、２個の連接棒、２組の第一昇降機構、２個の後サポート棒と２組の第二昇降機構を有する。
この種の構造のルーフテントの連接棒は、底台の左右両端に設置され、後サポート棒を通して、第一昇降機構及び第二昇降機構に対応し、底台及び頂部枠フレームを、折畳みできるように結合する。
【０００５】
しかし、上記した構造は複雑であるばかりか、ルーフテントは体積が大きく重い。
しかも、この種の連接方式は、テントの展開使用時に、頂部枠フレームが底台に相対してぐらつき、特に硬質の屋根を追加した後には、全体的な重量がさらに重くなり、ルーフテント全体が力の不均衡とサポート力不足により変形しやすい。
また、テントを平らに収納できず密封性が劣り、走行時の風の抵抗を拡大し、しかも雨天には浸水現象も起き、走行の安全に悪影響を及ぼす。
【先行技術文献】
【特許文献】
【０００６】
【特許文献１】中国実用新案公告第２０１５３１１４７号明細書
【特許文献２】中国実用新案公告第２０２１８７６０５号明細書
【特許文献３】中国実用新案公告第２０３２１３６９５号明細書
【特許文献４】中国実用新案公告第２０５６１７８９８号明細書
【発明の概要】
【発明が解決しようとする課題】
【０００７】
前記先行技術は、構造が複雑で、ルーフテントの体積が大きく重く、テントの展開使用時に頂部枠フレームが底台に相対してぐらつき、硬質の屋根を追加すれば重量がさらに重くなり、ルーフテント全体が力の不均衡とサポート力不足により変形しやすく、テントを平らに収納できず密封性が劣り、走行時の風の抵抗を拡大し、しかも雨天には浸水現象も起き、走行の安全に悪影響を及ぼす欠点がある。
【課題を解決するための手段】
【０００８】
本発明はサポート強度が大きく、しかも受力が均一な折畳みルーフテントに関する。
【０００９】
本発明による折畳みルーフテントは、底台、頂部サポートフレーム及び中部サポートフレームを有する。
該中部サポートフレームは、連接枠、少なくとも２個の中サポート棒及び少なくとも２個の頂サポート棒を有する。
連接枠の一端と底台の前端とは、枢接され、反対端と頂部サポートフレームの後端とは、枢接され、該中サポート棒の一端は、回転可能なように、底台の後端中部上に設置される。
各中サポート棒の反対端は、連接枠と頂部サポートフレームが連接する一端両側に対称に対応する。
該頂サポート棒は、連接枠の両側に対称に設置され、各頂サポート棒の一端は、連接枠上に設置され、反対端は、頂部サポートフレームに連接される。
【００１０】
さらに、該底台の後端中部には、連接台を設置する。
該中サポート棒は回転可能なように、該連接台上に設置される。
【００１１】
さらに、該頂部サポートフレームの両側には、対称の少なくとも２個の連棒を設置し、各頂サポート棒の一端は、連接枠の側面に設置され、反対端は、連棒と連接される。
【００１２】
さらに、該底台の底部には、多数のサポート取付棒をさらに設置し、その内の１個のサポート取付棒は、連接台の底部に設置され、他のサポート取付棒は、連接台の両側に対称に設置される。
【００１３】
さらに、該頂部サポートフレームは、プラスチック上蓋で、該連棒は、プラスチック上蓋の内壁に設置される。
該底台は、プラスチック下蓋で、該サポート取付棒は、プラスチック下蓋の外底面に設置され、該連接台は、該プラスチック下蓋内に設置される。
【００１４】
さらに、該頂部サポートフレーム及び該底台はそれぞれ枠フレームで、該連棒は、頂部サポートフレームの枠フレーム内に設置され、該サポート取付棒は、底台の枠フレーム内に設置される。
【００１５】
さらに、該頂部サポートフレームは、プラスチック上蓋、及びプラスチック上蓋内に対応した枠体を有する。
該底台は、プラスチック下蓋、及びプラスチック下蓋内に対応した枠体を有する。
【００１６】
さらに、該頂部サポートフレームの各連棒及び底台の連接台は、Ｌ型連接部材をそれぞれ通して、頂部サポートフレーム及び底台上に固定される。
該連接枠と底台前端は、蝶つがいを通して枢接され、連接枠と頂部サポートフレームの後端も、蝶つがいを通して枢接され、蝶つがいは、Ｌ型連接部材上に固定される。
【００１７】
さらに、該頂部サポートフレームの後端及び中部サポートフレームの前端と底台の間は可動ロックフック対応である。
【００１８】
さらに、該可動ロックフックは、頂部サポートフレームの後端に、対応するロックバーを設置し、対応する底台又は中部サポートフレームの後端には、ロックバーと対応するロックフックを設置する。
頂部サポートフレームの前端、又は中部サポートフレームの前端にも、ロックバーを設置し、対応する底台の前端には、ロックバーと対応するロックフックを設置する。
【００１９】
さらに、該中サポート棒及び該頂サポート棒はそれぞれ、弾性伸縮棒、電機駆動の伸縮棒、又はエアスプリングの内の任意の一種である。
【００２０】
さらに、該中部サポートフレームの連接枠は底台の大きさに対応した枠体である。
該連接枠の両側内壁には、該頂サポート棒を設置する連接ブロックをそれぞれ設置する。
【００２１】
上述の方案を採用し、本発明は中部サポートフレームと頂部サポートフレームを設置し、底台と中部サポートフレーム連接枠に対応して設置する中サポート棒、及び頂部サポートフレームと連接枠の間に設置する頂サポート棒を対応させ、ルーフテントの展開／収納機能を実現し、テント全体の構造は簡単で、展開／収納が容易で、コストが比較的低いため、市場競争力を備える。
特に本発明の中サポート棒は、底台の中部連接台及び連接枠と頂部サポートフレームが連接する一端両側に設置されるため、連接枠と底台の間には、安定的な三角サポート状態が形成される。
こうして、頂部サポートフレーム及び中部サポートフレームの受力はさらに均一となり、しかも該中部サポートフレームの連接枠のサポート強度は大幅に増強され、これにより頂部サポートフレーム及び連接枠は、底台に比べ、グラつきにくい。
こうして、折畳み収納後のルーフテントは風が入り込むことがなく、走行の安全に対して影響せず、しかも該ルーフテントの内部空間を最大限に拡大することができる。
【図面の簡単な説明】
【００２２】
【図１】本発明による第一実施形態の分解状態模式図一である。
【図２】本発明による第一実施形態の分解状態模式図二である。
【図３】本発明による第一実施形態の展開状態模式図一である。
【図４】本発明による第一実施形態の展開状態模式図二である。
【図５】本発明による第一実施形態の折畳み収納状態模式図である。
【図６】本発明による第二実施形態の展開状態模式図一である。
【図７】本発明による第二実施形態の展開状態模式図二である。
【図８】本発明による第三実施形態の展開状態模式図である。
【図９】本発明による第四実施形態の展開状態模式図である。
【発明を実施するための形態】
【００２３】
（一実施形態）
専門用語の“前”、“後”等が指示する方位、又は位置関係は、図が示す方位、又は位置関係に基づき、説明の便に鑑みたもので、その装置又は部品が特定の方位を有し、特定の方位構造と操作によることを指示、又は暗示するものではなく、よって本発明に制限を加えるものではない。
【００２４】
図１〜図９に示す通り、本発明が開示する折畳みルーフテントは、底台１、頂部サポートフレーム２及び中部サポートフレーム３を有する。
中部サポートフレーム３は、連接枠３１、少なくとも２個の中サポート棒３２及び少なくとも２個の頂サポート棒３３を有する。
連接枠３１の一端と底台１の前端とは、枢接され、反対端と頂部サポートフレーム２の後端とは、枢接される。
中サポート棒３２の一端は、回転可能なように、底台１の後端中部上に設置される。
各中サポート棒３２の反対端は、連接枠３１と頂部サポートフレーム２が連接する一端両側に対称に対応する。
頂サポート棒３３は、連接枠３１の両側に対称に設置され、各頂サポート棒３３の一端は、連接枠３１上に設置され、反対端は、頂部サポートフレーム２に連接される。
【００２５】
好ましくは、底台１の後端中部には、連接台４を設置する。
中サポート棒は回転可能なように、連接台４上に設置される。
連接台４は金属材質で、こうして中サポート棒３２の連接強度を保証する。
好ましくは、頂部サポートフレーム２の両側には、対称の少なくとも２個の連棒２１を設置し、各頂サポート棒３３の一端は、連接枠３１の側面に設置され、反対端は、連棒２１と連接される。
底台１の底部には、多数のサポート取付棒１１をさらに設置し、その内の１個のサポート取付棒１１は、連接台４の底部に設置され、他のサポート取付棒１１は、連接台４の両側に対称に設置される。
【００２６】
図１〜図５は、本発明による折畳み可能ルーフテントの第一実施形態を示す。
同実施形態は本発明の好ましい実施方式で、中部サポートフレーム３の連接枠３１は底台１の大きさに対応した枠体である。
頂部サポートフレーム２は、プラスチック上蓋、及びプラスチック上蓋内に対応した枠体を有する。
頂部サポートフレーム２も、直接、プラスチック上蓋としても良い。
連棒２１は、プラスチック上蓋の内壁に設置される。
底台１は、プラスチック下蓋、及びプラスチック下蓋内に対応した枠体を有する。
底台１も、直接、プラスチック下蓋としても良い。
サポート取付棒１１は、プラスチック下蓋の外底面に設置され、連接台４は、プラスチック下蓋内に設置される。
プラスチック下蓋底部のサポート取付棒１１を通して、本考案のルーフテントを、自動車の屋根部の固定棒Ａ上に取り付ける。
頂部サポートフレーム２の各連棒２１及び底台１の連接台４は、Ｌ型連接部材５をそれぞれ通して、頂部サポートフレーム２及び底台１上に固定される。
連接枠３１と底台１前端通過蝶つがい６とは、枢接され、連接枠３１と頂部サポートフレーム２の後端も、蝶つがい６を通して枢接され、蝶つがい６は、Ｌ型連接部材５上に固定される。
【００２７】
中サポート棒３２及び頂サポート棒３３は弾性伸縮棒で、電機駆動の伸縮棒、又はエアスプリングとすることもできる。
頂部サポートフレーム２上には、ロックバー２２を設置し、対応する底台１上には、ロックバー２２と対応するロックフック１２を設置する。
このロックフック１２は、中部サポートフレーム３の連接枠３１に設置することもできる。
また、頂部サポートフレーム２の前端、又は中部サポートフレーム３連接枠３１の前端にも、ロックバー２２を設置する。
対応する底台１の前端には、ロックバー２２と対応するロックフック１２を設置する。
【００２８】
頂サポート棒３３の一端は、連接ブロック７を通して、連接枠３１の内側壁の、後端に近い位置に設置され、反対端は、頂部サポートフレーム２の連棒２１の、前端に近い位置に連接される。
これにより、頂サポート棒３３は、傾斜状を呈して、頂部サポートフレーム２をサポートし、頂部サポートフレームの後端と連接枠３１の後端とは枢接し、中サポート棒３２を通して安定的な三角サポート状態を形成する。
【００２９】
図５に示す通り、テントが収納状態にある時には、連接枠３１、頂サポート棒３３及び頂部サポートフレーム２は、順番に、底台上に折り重ねられる。
中サポート棒３２は、底台１の連接台４両側に合わせられ、頂部サポートフレーム２、又は連接枠３１上のロックバー２２は、底台１上のロックフック１２と、固定される。
この時の頂サポート棒３３及び中サポート棒３２は、圧縮蓄エネルギー状態を呈する。
【００３０】
図３及び図４に示す通り、テントを展開して使用する際には、ロックバー２２とロックフック１２のロックフック関係を解除し、頂部サポートフレーム２の一端を上方へと動かし、又は持ち上げ、これにより、頂部サポートフレーム２の一端は、底台１を離脱する。
さらに、頂部サポートフレーム２の反対端を動かし、又は持ち上げ、これにより頂部サポートフレーム２後端と連接する連接枠３１はいっしょに上昇する。
中部サポートフレーム３の中サポート棒３２及び頂サポート棒３３は、圧縮蓄エネルギーをリリースし、中サポート棒３２は伸長すると同時に、連接枠３１及び頂部サポートフレーム２の後端を持ち上げ、こうしてテント全体の展開状態を実現する。
前述の動作は、反対向きに操作することもできる。
【００３１】
反対に、テントを収納する時には、ロックバー２２を牽引するか、又は頂部サポートフレーム２を底台１方向へと押せば、頂部サポートフレーム２及び連接枠３１を底台１方向へと収納し、頂サポート棒３３と中サポート棒３２を圧縮することができる。
こうして、テントの展開と収納の半自動操作機能を実現できる。
【００３２】
上述テントの収納操作は、ロックバーとロックフックの可動ロック関係に限定されず、可動係合フック等構造を採用しても、可動ロックフック関係を同様に実現できる。
即ち頂部サポートフレーム２の後端及び連接枠３１の前端と底台１の間は、可動ロックフック対応となる。
【００３３】
図６及び図７は、本発明による折畳みルーフテントの第二実施形態を示す。
本実施形態と第一実施形態の異なる点は以下の通りである。
頂部サポートフレーム２及び底台１はそれぞれ枠フレームで、枠フレーム上には、テント布を対応させて有する（図示なし）。
連棒２１は、頂部サポートフレーム２の枠フレーム内に設置され、サポート取付棒１１は、底台１の枠フレーム内に設置される。
【００３４】
図８は、本発明による折畳みルーフテントの第三実施形態を示す。
本実施形態は第一実施形態の実施可能な基本構造で、底台１、頂部サポートフレーム２及び中部サポートフレーム３を有する。
中部サポートフレーム３は、連接枠３１、少なくとも２個の中サポート棒３２及び少なくとも２個の頂サポート棒３３を有する。
連接枠３１の一端と底台１の前端とは、枢接され、反対端と頂部サポートフレーム２の後端とは、枢接され、底台１の後端中部には、連接台４が設置される。
中サポート棒３２の一端は回転可能なように、連接台４上に設置され、各中サポート棒３２の反対端は、連接枠３１と頂部サポートフレーム２が連接する一端両側に対称に対応する。
頂サポート棒３３は、連接枠３１の両側に対称に設置され、各頂サポート棒３３の一端は、連接枠３１上に設置され、反対端は、頂部サポートフレーム２に連接される。
頂部サポートフレーム２は、プラスチック上蓋で、底台１はプラスチック下蓋である。
【００３５】
図９は、本発明による折畳みルーフテントの第四実施形態を示す。
本実施形態は第二実施形態の実施可能な基本構造で、底台１、頂部サポートフレーム２及び中部サポートフレーム３を有する。
中部サポートフレーム３は、連接枠３１、少なくとも２個の中サポート棒３２及び少なくとも２個の頂サポート棒３３を有する。
連接枠３１の一端と底台１の前端とは、枢接され、反対端と頂部サポートフレーム２の後端とは、枢接され、底台１の後端中部には、連接台４が設置される。
中サポート棒３２の一端は回転可能なように、連接台４上に設置され、各中サポート棒３２の反対端は、連接枠３１と頂部サポートフレーム２が連接する一端両側に対称に対応する。
頂サポート棒３３は、連接枠３１の両側に対称に設置され、各頂サポート棒３３の一端は、連接枠３１上に設置され、反対端は、頂部サポートフレーム２に連接される。
頂部サポートフレーム２は枠フレームで、底台１は枠フレームで、頂部サポートフレーム２及び底台１外には、テント布を対応させて有する（図示なし）。
【００３６】
上記を総合すると、本発明は、中部サポートフレーム３と頂部サポートフレーム２を設置し、底台１と中部サポートフレーム３連接枠３１の間に設置する中サポート棒３２、及び頂部サポートフレーム２と連接枠３１の間に設置する頂サポート棒３３を対応させて、ルーフテントの展開／収納機能を実現し、テント全体の構造は簡単で、展開／収納が容易で、コストが比較的低いため、市場競争力を備える。
特に本発明の中サポート棒３２は、底台１の中部連接台４及び連接枠３１と頂部サポートフレーム２が連接する一端両側に設置されるため、連接枠３１と底台１の間には、安定的な三角サポート状態が形成される。
こうして、頂部サポートフレーム２及び中部サポートフレーム３の受力はさらに均一となり、しかも中部サポートフレーム３の連接枠３１のサポート強度は大幅に増強され、これにより頂部サポートフレーム及び連接枠３１は、底台１に比べ、グラつきにくい。
こうして、折畳み収納後のルーフテントは風が入り込むことがなく、走行の安全に対して影響せず、しかもルーフテントの内部空間を最大限に拡大することができる。
【００３７】
上記は本発明の実施形態に過ぎず、本発明の技術範囲について何らかの限制を加えるものではなく、テントの折畳み収納は図中では手動構造で行うが、自動昇降機構を設置することでテントの自動展開／収納を行うこともできる。
よって、本発明により保護される範囲は後述される特許請求の範囲を基準とする。
【符号の説明】
【００３８】
１  底台
１１  サポート取付棒
１２  ロックフック
２  頂部サポートフレーム
２１  連棒
２２  ロックバー
３  中部サポートフレーム
３１  連接枠
３２  中サポート棒
３３  頂サポート棒
４  連接台
５  Ｌ型連接部材
６  蝶つがい
７  連接ブロック
【図１】
2019518645.tif 000003
【図２】
2019518645.tif 000004
【図３】
2019518645.tif 000005
【図４】
2019518645.tif 000006
【図５】
2019518645.tif 000007
【図６】
2019518645.tif 000008
【図７】
2019518645.tif 000009
【図８】
2019518645.tif 000010
【図９】
2019518645.tif 000011
【国際調査報告】
2019518645.tif 000012
2019518645.tif 000013
2019518645.tif 000014
2019518645.tif 000015